(57)【特許請求の範囲】
【請求項１】
一次側室と二次側室とを連通する弁口と、該弁口に一次側室側から着座して開閉する弁体と、弁口を介して弁体と対向するように形成されたシリンダと、該シリンダ内に摺動可能に収容され、弁体側から二次側室の圧力が作用するとともに弁体側に移動することにより弁体を開くピストンと、シリンダ内でピストンを弁体側に付勢する調節ばねと、該調節ばねをピストンと反対側から支持するばね押えピストンと、該ばね押えピストンの調節ばねの反対側でシリンダと二次側室とを連通する連通路と、外側からシリンダを貫通し、ばね押えピストンを摺動させることにより調節ばねの力を調節する調節ねじ機構とを備えた減圧弁装置において、前記調節ねじ機構を、ばね押えピストンから延設されシールパッキンを介して摺動可能にシリンダを貫通するスリーブと、該スリーブを貫通し、外側でシリンダ側の雌ねじと螺合するとともに、シールパッキンを介して摺動可能にシリンダを貫通するスリーブによって二次側圧力が作用しないようにした調節ねじとにより構成したことを特徴とする減圧弁装置。
【請求項２】
シリンダ側の雌ねじを、シリンダ本体に形成した雌ねじに位置調節可能に螺合する調節リングに形成するとともに、調節ねじの頭部に調節ナットを位置調節可能に螺合し、調節ナットと調節リングの当接及び調節ねじに形成した大径部と調節リングの当接により調節ねじの上下動を制限するようにしたことを特徴とする請求項１記載の減圧弁装置。
【請求項３】
調節ねじの先端に、調節ねじに形成した大径部との間でスリーブを相対的に回転可能に挟持する固定用袋ナットを螺合したことを特徴とする請求項２記載の減圧弁装置。
【発明の詳細な説明】
【技術分野】
【０００１】
本発明は、流体の減圧弁装置に関し、特に、調節ねじへの二次側圧力の影響を排除することにより、調節ねじの操作を軽くするとともに、シール箇所も少なく簡易な構造とし、さらに、調節ねじを回してもその回転力がばね押えピストンに直接作用することがなく、ばね押えピストンやシリンダをシンプルに構成することができる減圧弁装置に関するものである。
【背景技術】
【０００２】
従来から、コンプレッサー等のポンプ設備には、圧力を減圧する減圧弁装置が設けられている。このような減圧弁装置は、一次側の圧力を所定の減圧比で減圧し、供給側となる二次側の圧力を調整するものである。
【０００３】
ところで、この種の減圧弁装置として、図２に示すように、ケーシング内に形成された一次側室１及び二次側室２と、該一次側室１と二次側室２とを連通する弁口３と、該弁口３に一次側室側から着座して開閉する弁体４と、弁口３を介して弁体４と対向するように形成されたシリンダ５と、該シリンダ５内に摺動可能に収容され、弁体側から二次側室２の圧力が作用するとともに弁体側に移動することにより弁体４を開くピストン６と、シリンダ５内でピストン６を弁体側に付勢する調節ばね７と、該調節ばね７をピストン６と反対側から支持するばね押えピストン８と、該ばね押えピストン８の調節ばね７の反対側でシリンダ５と二次側室２とを連通する連通路９と、外側からシリンダ５を貫通し、ばね押えピストン８を摺動させることにより調節ばね７の力を調節する調節ねじ機構１０’とを備えた減圧弁装置が提案されている。
【０００４】
この減圧弁装置は、ばね押えピストン８の調節ばね７の反対側でシリンダ５と二次側室２とを連通することにより、ばね押えピストン８を二次側圧力によって調節ばね側に付勢し、調節ばね７の負担を軽減してばね力を小さくするとともに、このばね力の縮小により、調節ばね７の力を調節する調節ねじ機構１０’の操作を軽くするようにしている。
【０００５】
しかしながら、上記従来の減圧弁装置では、調節ねじ機構１０’が、ばね押えピストン８に貫設した雌ねじ２１と、該雌ねじ２１に、外側からシリンダ５を貫通して螺合する調節ねじ２２とからなり、調節ねじ２２の回転によりばね押えピストン８を摺動させる構成であるため、連通路９からの二次側圧力が調節ねじ２２の軸に作用する構造となり、調節ねじ２２とシリンダ５の間及び調節ねじ２２とばね押えピストン８の間をＯリング２３でシールする必要がある。
この場合、二次側圧力が高圧になる減圧弁装置では、このようにシール箇所が多いと調節ねじ２２を回す力に大きく影響する。
【０００６】
また、この減圧弁装置は、調節ねじ２２とばね押えピストン８に設けたねじによりばね押えピストン８を摺動させる構成であるため、ばね押えピストン８に回り止めが必要であり、シリンダ内部に縦溝２４を形成し、ばね押えピストン８から出たガイド２５をこの縦溝２４に沿わすことで回り止めとしている。
さらに、この減圧弁装置では、二次側圧力の減圧調節を規制するストッパ２６との当たり部２７をばね押えピストン８に直接設けている。
しかしながら、このような構造では、減圧弁使用者が減圧調節時にハンドルを無理に強く回した場合、ばね押えピストン８のガイド２５を破損したり、ばね押えピストン８のストッパ当たり部２７の変形や破損を招いたりする危険性がある。
その結果、ばね押えピストン８の破損やエア漏れにつながる危険性があるため、ばね押えピストン８やシリンダ５に強度が必要となり構造も複雑となるという問題があった。
【発明の開示】
【発明が解決しようとする課題】
【０００７】
本発明は、上記従来の減圧弁装置が有する問題点に鑑み、調節ねじへの二次側圧力の影響を排除することにより、調節ねじの操作を軽くするとともに、シール箇所も少なく簡易な構造とし、さらに、調節ねじを回してもその回転力がばね押えピストンに直接作用することがなく、ばね押えピストンやシリンダをシンプルに構成することができる減圧弁装置を提供することを目的とする。
【課題を解決するための手段】
【０００８】
上記目的を達成するため、本発明の減圧弁装置は、一次側室と二次側室とを連通する弁口と、該弁口に一次側室側から着座して開閉する弁体と、弁口を介して弁体と対向するように形成されたシリンダと、該シリンダ内に摺動可能に収容され、弁体側から二次側室の圧力が作用するとともに弁体側に移動することにより弁体を開くピストンと、シリンダ内でピストンを弁体側に付勢する調節ばねと、該調節ばねをピストンと反対側から支持するばね押えピストンと、該ばね押えピストンの調節ばねの反対側でシリンダと二次側室とを連通する連通路と、外側からシリンダを貫通し、ばね押えピストンを摺動させることにより調節ばねの力を調節する調節ねじ機構とを備えた減圧弁装置において、前記調節ねじ機構を、ばね押えピストンから延設されシールパッキンを介して摺動可能にシリンダを貫通するスリーブと、該スリーブを貫通し、外側でシリンダ側の雌ねじと螺合するとともに、シールパッキンを介して摺動可能にシリンダを貫通するスリーブによって二次側圧力が作用しないようにした調節ねじとにより構成したことを特徴とする。
【０００９】
この場合において、シリンダ側の雌ねじを、シリンダ本体に形成した雌ねじに位置調節可能に螺合する調節リングに形成するとともに、調節ねじの頭部に調節ナットを位置調節可能に螺合し、調節ナットと調節リングの当接及び調節ねじに形成した大径部と調節リングの当接により調節ねじの上下動を制限することができる。
【００１０】
また、調節ねじの先端に、調節ねじに形成した大径部との間でスリーブを相対的に回転可能に挟持する固定用袋ナットを螺合することができる。
【発明の効果】
【００１１】
本発明の減圧弁装置によれば、ばね押えピストンのスリーブとシリンダとの間をシールすることによって、調節ねじには二次側圧力が作用しない構造とすることができ、これにより、調節ねじへの二次側圧力の影響を排除し調節ねじの操作を軽くするとともに、シール箇所も少なく簡易な構造とすることでコストを低減し、耐久性を向上させることができる。
また、調節ねじ自身が上下する構造であるため、ばね押えピストンの回り止め構造が不要になるとともに、調節ねじを無理に回してもその回転力がばね押えピストンに直接作用することがなく、これにより、ばね押えピストンやシリンダをシンプルに構成するとともに破損やエア漏れを防止し、減圧弁装置のコストを低減しかつ信頼性を向上させることができる。
【００１２】
また、シリンダ側の雌ねじを、シリンダ本体に形成した雌ねじに位置調節可能に螺合する調節リングに形成するとともに、調節ねじの頭部に調節ナットを位置調節可能に螺合し、調節ナットと調節リングの当接及び調節ねじに形成した大径部と調節リングの当接により調節ねじの上下動を制限することにより、二次側圧力の調節は、調節リングの調整で下限側を、調節ナットの調整で上限側を規制することができる。
そして、二次側圧力の上限規制は調節ナットと調節リングの当接で受けるとともに、下限規制は調節ねじに形成した大径部と調節リングとの当接で受ける構造のため、規制時に調節ねじを無理に回してもその回転力がばね押えピストンに直接作用することがなく、これにより、ばね押えピストンやシリンダをシンプルに構成するとともに破損やエア漏れを防止し、減圧弁装置のコストを低減しかつ信頼性を向上させることができる。
【００１３】
また、調節ねじの先端に、調節ねじに形成した大径部との間でスリーブを相対的に回転可能に挟持する固定用袋ナットを螺合することにより、減圧弁装置が万一破損した場合にも、内部部品が圧力で飛散することを防止することができる。
【発明を実施するための最良の形態】
【００１４】
以下、本発明の減圧弁装置の実施の形態を、図面に基づいて説明する。
【実施例１】
【００１５】
図１に、本発明の減圧弁装置の一実施例を示す。
この減圧弁装置は、ケーシング内に形成された一次側室１及び二次側室２と、一次側室１と二次側室２とを連通する弁口３と、弁口３に一次側室側から着座して開閉する弁体４と、弁口３を介して弁体４と対向するように形成されたシリンダ５と、シリンダ５内に摺動可能に収容され、弁体側から二次側室２の圧力が作用するとともに弁体側に移動することにより弁体４を開くピストン６と、シリンダ５内でピストン６を弁体側に付勢する調節ばね７と、調節ばね７をピストン６と反対側から支持するばね押えピストン８と、ばね押えピストン８の調節ばね７の反対側でシリンダ５と二次側室２とを連通する連通路９と、外側からシリンダ５を貫通し、ばね押えピストン８を摺動させることにより調節ばね７の力を調節する調節ねじ機構１０とを備えている。
【００１６】
そして、この減圧弁装置は、調節ねじ機構１０を、ばね押えピストン８から延設されシリンダ５を貫通するスリーブ８１と、スリーブ８１に摺接して回動可能に貫通し、外側でシリンダ側の雌ねじ１２ａと螺合するとともに、スリーブ８１によって二次側圧力が作用しないようにし、スリーブ８１の端部に当接するフランジ状の大径部１１ａを備えた調節ねじ１１とで構成するようにしている。
また、この減圧弁装置は、シリンダ側の雌ねじ１２ａを、シリンダ本体の雌ねじ５１に位置調節可能に螺合する調節リング１２に形成するとともに、調節ねじ１１の頭部に調節ナット１３を位置調節可能に螺合し、調節ナット１３と調節リング１２の当接及び調節ねじ１１に形成した大径部１１ａと調節リング１２の当接により調節ねじ１１の上下動を制限するようにしている。
調節ねじ１１の先端には、大径部１１ａとの間でスリーブ８１を相対的に回転可能に挟持する固定用袋ナット１４がワッシャ１４ａを介して螺合されている。
【００１７】
一次側室１と二次側室２は、弁口３とシリンダ５の下部を介して連通し、弁口３には、弁体４が弁体ばね４１により閉弁方向に付勢された状態で配設されている。
シリンダ５の下部には、弁体側に移動することにより、弁棒６１を介して弁体４を開くピストン６が配設されており、このピストン６には、調節ばね７等の付勢力と均衡するように、弁体側から二次側室２の圧力が作用している。
【００１８】
調節ばね７は、ばね押えピストン８によって上から付勢されており、ばね押えピストン８は、その上方でシリンダ５が連通路９により二次側室２と連通することにより、二次側圧力によって調節ばね７側に付勢されている。
これにより、調節ばね７の負担を軽減してばね力を小さくするとともに、このばね力の縮小により、調節ねじ１１の操作を軽くするようにしている。
ばね押えピストン８のスリーブ８１は、シールパッキン８４を介して摺動可能にシリンダ５を貫通し、スリーブ８１の内部には、調節ねじ１１がスリーブ８１に摺接して回動可能に貫通している。
【００１９】
調節ねじ１１は、その中間位置の大径部１１ａが、ばね押えピストン８のスリーブ８１上端にナイロン等の合成樹脂製のシート８３を介して当接しており、先端に螺合する固定用袋ナット１４と大径部１１ａとの間でスリーブ８１を相対的に回転可能に挟持している。
また、調節ねじ１１は、大径部１１ａの上方位置に雄ねじが形成されており、この雄ねじは調節リング１２の雌ねじ１２ａに螺合している。また、この雄ねじには、調節リング１２の上方位置で調節ナット１３が位置調節可能に螺合している。
【００２０】
調節リング１２は内側に雌ねじ１２ａを有し、その外側の雄ねじが、シリンダ本体に形成された雌ねじ５１に螺合している。
この調節リング１２及び調節ナット１３は、それぞれ止めねじ１５ａ、１５ｂを締め込むことによりその位置を調節して固定することが可能である。
本実施例では、これら調節ナット１３と調節リング１２の当接と、大径部１１ａと調節リング１２の当接とにより、調節ねじ１１の上下動を制限するようにしているが、調節リング１２や調節ナット１３の位置を調節することにより、調節ねじ１１の上下動制限範囲を調節することができる。
ちなみに、二次側圧力の制限は、調節リング１２の調整で下限側を、調節ナット１３の調整で上限側をそれぞれ規制することができる。      
この場合、調節リング１２や調節ナット１３の位置調節は、減圧弁装置の組立後に外側から行うことが可能であるため、二次側に接続される各種流体圧力機器の使用圧力範囲に対応して、二次側最低圧力と最高圧力を減圧弁装置の組立後に簡易に設定したり、変更することができる。
さらに、調節リング１２や調節ナット１３は、ねじによる無段階の位置調節にため、目標とする設定圧力と実際の設定圧力との誤差を小さくすることができ、その構造も簡易でコストを低減することができる。
また、調節ナット１３は六角ナットを用いるため、そのまま上部のハンドル１６に形成した六角形状の穴部１６ａに嵌合させることができ、調節ねじ１１の頭部に六角の係合部を形成する必要がなく安価となる。
【００２１】
かくして、本実施例の減圧弁装置は、ばね押えピストン８を摺動させることにより調節ばね７の力を調節する調節ねじ機構１０を、ばね押えピストン８から延設されシリンダ５を貫通するスリーブ８１と、スリーブ８１に摺接して回動可能に貫通し、外側でシリンダ側の雌ねじ１２ａと螺合するとともに、スリーブ８１によって二次側圧力が作用しないようにした調節ねじ１１とにより構成したことから、ばね押えピストン８のスリーブ８１にシリンダ５とのシールパッキン８４を設けることによって、調節ねじ１１には二次側圧力が作用しない構造とすることができ、これにより、調節ねじ１１への二次側圧力の影響を排除し調節ねじ１１の操作を軽くするとともに、シール箇所も少なく簡易な構造とすることでコストを低減し、耐久性を向上させることができる。
また、調節ねじ１１自身が上下する構造であるため、ばね押えピストン８の回り止め構造が不要になるとともに、調節ねじ１１を無理に回してもその回転力がばね押えピストン８に直接作用することがなく、これにより、ばね押えピストン８やシリンダ５をシンプルに構成するとともに破損やエア漏れを防止し、減圧弁装置のコストを低減しかつ信頼性を向上させることができる。
【００２２】
また、シリンダ側の雌ねじ１２ａを、シリンダ本体に形成した雌ねじ５１に位置調節可能に螺合する調節リング１２に形成するとともに、調節ねじ１１の頭部に調節ナット１３を位置調節可能に螺合し、調節ナット１３と調節リング１２の当接及び調節ねじ１１に形成した大径部１１ａと調節リング１２の当接により調節ねじ１１の上下動を制限することにより、二次側圧力の調節は、調節リング１２の調整で下限側を、調節ナット１３の調整で上限側を規制することができる。
そして、二次側圧力の上限規制は調節ナット１３と調節リング１２の当接で受けるとともに、下限規制は調節ねじ１１の大径部１１ａと調節リング１２との当接で受ける構造のため、規制時に調節ねじ１１を無理に回してもその回転力がばね押えピストン８に直接作用することがなく、これにより、ばね押えピストン８やシリンダ５をシンプルに構成するとともに破損やエア漏れを防止し、減圧弁装置のコストを低減しかつ信頼性を向上させることができる。
【００２３】
また、調節ねじ１１の先端に、調節ねじ１１に形成した大径部１１ａとの間でスリーブ８１を相対的に回転可能に挟持する固定用袋ナット１４を螺合することにより、減圧弁装置が万一破損した場合にも、内部部品が圧力で飛散することを防止することができる。
【００２４】
以上、本発明の減圧弁装置について、その実施例に基づいて説明したが、本発明は上記実施例に記載した構成に限定されるものではなく、その趣旨を逸脱しない範囲において適宜その構成を変更することができる。
【産業上の利用可能性】
【００２５】
本発明の減圧弁装置は、調節ねじへの二次側圧力の影響を排除することにより、調節ねじの操作を軽くするとともに、シール箇所も少なく簡易な構造とし、さらに、調節ねじを回してもその回転力がばね押えピストンに直接作用することがなく、ばね押えピストンやシリンダをシンプルに構成するという特性を有していることから、汎用の減圧弁装置の用途に広く好適に用いることができる。
【図面の簡単な説明】
【００２６】
【図１】本発明の減圧弁装置の一実施例を示す正面断面図である。
【図２】従来の減圧弁装置を示す正面断面図である。
【符号の説明】
【００２７】
１    一次側室
２    二次側室
３    弁口
４    弁体
４１  弁体ばね
５    シリンダ
５１  雌ねじ
６    ピストン
６１  弁棒
７    調節ばね
８    ばね押えピストン
８１  スリーブ
８２  シールパッキン
８３  シート
８４  シールパッキン
９    連通路
１０  調節ねじ機構
１１  調節ねじ
１１ａ  大径部
１２  調節リング
１２ａ  雌ねじ
１３  調節ナット
１４  固定用袋ナット
１４ａ  ワッシャ
１５ａ  止めねじ
１５ｂ  止めねじ
１６  ハンドル
１６ａ  穴部
【図１】
0004563290.tif 000002
【図２】
0004563290.tif 000003